(57)【特許請求の範囲】
【請求項１】
室内機の内部に吸引した浴室内の空気を排気通路を介して浴室外に排気する浴室空調装置において、
一方の面に室内機が取り付けられる一方で、他方の面が浴室の換気口の枠に固定される室内機取付板を備えており、
その室内機取付板は、室内機側の面に設けられた室内機側開口部と、換気口側の面に設けられた換気口側開口部と、室内機側開口部と換気口側開口部を連結するガイド通路と、を有しており、
室内機側の排気通路が室内機側開口部に接続され、換気口内の排気通路が換気口側開口部に接続されていることを特徴とする浴室空調装置。
【請求項２】
一方の面に換気機能を備えた浴室空調装置の室内機が取り付けられる一方で、他方の面が浴室の換気口の枠に固定される室内機取付板であって、
室内機側の面に設けられ、室内機側の排気通路が接続される室内機側開口部と、
換気口側の面に設けられ、換気口内の排気通路が接続される換気口側開口部と、
室内機側開口部と換気口側開口部を連結するガイド通路と、を有する室内機取付板。
【発明の詳細な説明】
【０００１】
【産業上の利用分野】
本発明は、換気機能を備えた浴室空調装置を浴室の壁に取付ける施工工事を容易にする技術に関する。
【０００２】
【従来の技術】
換気機能を備えた浴室空調装置では、室内機内に吸引した浴室内の空気を浴室外に排気するために、室内機内と浴室外とを連通する排気通路が必要となる。したがって、この種の浴室空調機を浴室の壁に取付るには、浴室の壁に孔をあけてこの孔に排気通路を設ける必要がある。しかしながら、浴室の壁にこのような孔を設けることは施工工事に時間と手間がかかる。そのため、従来から浴室の換気口を利用することが考えられている。
従来の換気口を利用した施工技術では、図８に示すように、換気口９１の近傍の浴室壁に室内機取付板９２を固定し、この固定した室内機取付板９２に室内機９０を取付ける。そして、室内機９０内に取付けた換気用ファン９３の排気口９５と換気口９１内に配設した排気ダクト９４とを連結する。したがって、上述した施工技術によれば、換気口９１を利用することで浴室壁に排気ダクト９４のための貫通孔をあける必要がない。
【０００３】
【発明が解決しようとする課題】
しかしながら、上述した施工技術では、室内機取付板９２を浴室壁面に固定するときに、室内機取付板９２を固定するためのねじ孔（取付孔）を浴室壁面にあける必要がある。このため、例えば浴室壁面がタイル貼りのような場合においては、浴室壁面に取付孔をあける際に取付孔の部分のタイルが破損してしまう場合があった。このように、従来の施工技術では浴室壁面に室内機取付板９２を固定するための取付孔をあける必要があり、浴室壁面を破損しないよう注意して施工する必要があった。
【０００４】
本発明は、上述した実情に鑑みてなされたものであり、浴室壁面に孔をあける必要をなくし、施工工事の際の浴室壁面の破損を防止することができる浴室空調装置及び浴室空調装置を取付けるための取付板を提供するものである。
【０００５】
【課題を解決するための手段及び効果】
本発明は上述した課題を解決するためになされたものであり、下記に示す種々の態様の浴室空調装置及びその取付板を提供する。
【０００６】
本発明の一つの態様に係る浴室空調装置は、室内機の内部に吸引した浴室内の空気を排気通路を介して浴室外に排気する浴室空調装置において、一方の面に室内機が取り付けられる一方で他方の面が浴室の換気口の枠に固定される室内機取付板を備えており、その室内機取付板は、室内機側の面に設けられた室内機側開口部と、換気口側の面に設けられた換気口側開口部と、室内機側開口部と換気口側開口部を連結するガイド通路と、を有しており、室内機側の排気通路が室内機側開口部に接続され、換気口内の排気通路が換気口側開口部に接続されている（請求項１）。
上記浴室空調装置によれば、室内機が取付けられる室内機取付板が浴室の換気口の枠に固定されるため、浴室壁に取付孔を設ける必要が無い。また、室内機取付板を換気口の枠に固定することにより換気口が塞がれるが、換気口内の排気通路は換気口側開口部、ガイド通路及び室内機側開口部を介して室内機の排気通路に接続される。このため、排気通路用の貫通孔を浴室壁に設ける必要も無い。よって、上記浴室空調装置によれば、浴室壁に孔を設ける必要が無いため、施工時に浴室壁が破損することを防止できる。
また、ガイド通路を設けることで換気口と室内機の位置関係を調整でき、これにより、浴室内における室内機の位置を調整することができる。したがって、浴室の中央よりに室内機を配置することが可能となり、この場合には浴室内を均一に空調することができる。
【０００７】
ここで、上記浴室空調装置は、浴室内の空気を換気する機能を備えたものであればどのようなものでもよく、その他の構成・機能はどのようなものを備えていても良い。したがって、例えば、浴室内を暖房する暖房機能を有するものであっても良いし、浴室内の暖房だけでなく浴室内の乾燥を行う機能をも有するものであっても良い。
【００１０】
また、上記各浴室空調装置においては、浴室外の空気を浴室内に供給する空気供給通路を設けて、浴室内に浴室外の空気を供給することにより浴室内の空気を短時間で乾燥するような機能を備えても良い。このような場合においては、上記空気供給通路を、浴室外から換気口内及び室内機取付板に設けられた開口部を通って室内機側に設けることが好ましい。
【００１１】
また、本発明は、既存の浴室空調装置の室内機を既設の浴室に取付ける場合等に好適に用いることができる新規な室内機取付板を提供する。
すなわち、浴室の換気口は一般に浴室壁の上端部（天井付近）に設けられているのに対して、既存の浴室空調装置においては排気通路が室内機の下部に設けられていた。したがって、既存の浴室空調装置では、室内機の排気通路と換気口内の排気通路とを接続することができない場合があった。
そこで、本発明の室内機取付板は、一方の面に換気機能を備えた浴室空調装置の室内機が取り付けられる一方で、他方の面が浴室の換気口の枠に固定される室内機取付板であって、室内機側の面に設けられ、室内機側の排気通路が接続される室内機側開口部と、換気口側の面に設けられ、換気口内の排気通路が接続される換気口側開口部と、室内機側開口部と換気口側開口部を連結するガイド通路と、を有する。
上記室内機取付板によれば、換気口内の排気通路が接続される換気口側開口部と、室内機側の排気通路が接続される室内機側開口部とがガイド通路によって連結される。したがって、室内機側の排気通路の位置を変更することなく、室内機側の排気通路と換気口内の排気通路を連結することができる。これにより、浴室毎に換気口の位置が異なっても、室内機取付板のガイド通路を調整することで、既存の室内機を浴室の換気口を利用して浴室に取付けることができる。
【００１２】
【発明の実施の形態】
以下、本発明を浴室暖房乾燥装置に適用した一実施の形態について、図面を用いて説明する。まず、本実施の形態に係る浴室暖房乾燥装置の室内機１１の構造について図１〜図３を用いて説明する。図１は本発明の一実施の形態に係る浴室暖房乾燥装置の室内機の正面図であり、図２はその内部構造図、図３はその背面図である。
室内機１１は、図１、２に示すように、その内部に各機器（１４、１５等）が配設される本体ケース１２と、この本体ケース１２の前面に着脱自在に取り付けられる正面カバー１８とを備える。
この本体ケース１２内には、図２に示すように、配管１３内を循環する熱媒（例えば、温水）と空気を熱交換させて空気を加熱するための熱交換器１４が配設される。この熱交換器１４の背後空間上部には、温風吹出用ファン１５が納められる。温風吹出用ファン１５は、モータ１６と、モータ１６により回転駆動されるファン１７とを備え、ファン１７が回転することによって、熱交換器１４で加熱された空気を下方から吸引し、上方から温風として浴室内へ吹き出す。
なお、図１に示すように正面カバー１８の上部には、温風吹出用ファン１５の温風吹出し位置に対応する部分に温風吹出口１９が設けられている。また、正面カバー１８の熱交換器１４と対向する部分には、空気吸込口２０が設けられている。
【００１３】
また、図2に示すように、本体ケース１２の向かって左側の上部には、換気用送風機２１が取付けられる。この換気用送風機２１も温風吹出用ファン１５と同様に、モータ２２とモータ２２により回転駆動されるファン２３を備え、ファン２３が回転することで本体ケース１２内部の空気（浴室内の空気や湿気）をその内部に吸引し、背面のダクト２５を通して屋外へ排気する。この換気用送風機２１が本体ケース１２に取付けられた状態では、換気用送風機２１のダクト２５が本体ケース１２の左側上部に設けられた円形の開口２４（図３参照）から本体ケース１２の背面側に突出している。
なお、本体ケース１２に設けられた開口２４は、図３に示すように換気用送風機２１のダクト２５の外径よりも十分に大きな開口径を有し、開口２４の下側は換気用送風機２１によって塞がれることなく開放されている。この開口２４の下側には、図２に示されるように、熱交換器１４に配設された配管１３の両端が導かれている。
【００１４】
また、本体ケース１２内の換気用送風機２１前方には、リモートコントローラ（図示せず）からの赤外線信号を受信する受光部３０が設けられており、受光部３０は正面カバー１８の窓３１から露出している。
【００１５】
次に、上述した室内機１１が着脱自在に取付けられる室内機取付板について、図４を用いて説明する。図４は室内機取付板の正面図である。
室内機取付板４０は、図４に示すように、室内機１１の背面の大きさにあわせて製作された長方形状の板であり、図の向かって左側に開口４１が形成されている。この開口４１は、本体ケース１２に設けられた開口２４と略同一の大きさを有し、室内機取付板４０に室内機１１を取付けた状態で、開口２４と同一の位置となるように設けられている。
また、この開口４１を取囲む位置には、室内機取付板４０を換気口の木枠に固定するための木枠取付孔（４２、４４ａ、４４ｂ）が設けられている。この木枠取付孔（４２、４４ａ、４４ｂ）の位置は、室内機取付板４０を２種類の大きさの換気口に取付けられるよう決められている。すなわち、換気口の枠が小さい場合（２０×１５ｃｍ）には、木枠取付孔４２、４４ｂを使用して室内機取付板４０を換気口の木枠に固定し、換気口の枠が大きい場合（２０×２０ｃｍ）には、木枠取付孔４２、４４ａを使用して室内機取付板４０を換気口の木枠に固定する。このように本実施の形態では、木枠取付孔４２を共通化する（木枠の３辺を重ね合わせる）ことにより、木枠取付孔を設ける総数を少なくしている。
さらに、室内機取付板４０には、その４箇所に室内機１１を取付けるためのボルト４５が配設されている。
なお、上述した木枠取付孔（４２、４４ａ、４４ｂ）を設ける位置を決めるための換気口の大きさは、規格化されて一般的に使用されている２種類の換気口を利用し決定した。これにより、施工時に室内機取付板４０に孔あけ加工を施すことなく、殆どの換気口の枠に室内機取付板４０を取付けることができる。
また、上述した木枠取付孔４４ａ、４４ｂは、工場から出荷時においてはテープ等により孔が塞がれ、取付施工時においてテープを突き破って木ねじを差し込むようにすることが好ましい。このようにすることにより、使用されなかった木枠取付孔（４４ａ又は４４ｂ）はテープが貼られて塞がれているため、施工時に使用されなかった木枠取付孔を塞ぐ必要がないからである。
【００１６】
次に、上述した浴室暖房乾燥装置の施工方法を図５により説明する。
浴室壁５１へ浴室暖房乾燥装置を取付けるためには、まず室内機取付板４０を浴室の換気口の木枠８０に固定する。すなわち、室内機取付板４０の木枠取付孔（４２、４４ａ又は４４ｂ）を通って、換気口の木枠８０にねじを差し込むことにより室内機取付板４０を換気口の木枠８０に固定する。
ついで、換気口の木枠８０に固定された室内機取付板４０に室内機１１を取付ける。具体的には、室内機１１の正面カバー１８を外し、その状態で室内機取付板４０のボルト４５が本体ケース１２に設けた取付穴（図示省略）を通って本体ケース１２の正面側に突出するように室内機１１を室内機取付板４０に位置決めする。しかる後、ボルト４５に本体ケース１２の正面側からナットを締めることにより、室内機取付板４０に本体ケース１２を取付ける。このとき、室内機１１の背面に突出しているダクト２５は、室内機取付板４０に設けられた開口４１を通って換気口内に突出する。
ついで、屋外側から排気ダクト５０を換気口内に挿入し、排気ダクト５０の端部を換気用送風機２１のダクト２５に接続する。
【００１７】
また、同時に屋外に設置された外部熱源機（図示省略）から熱媒供給用の配管６０を家屋の外壁等に沿って換気口内に導き、室内機取付板４０に設けられた開口４１の下側、及び、本体ケース１２の開口２４の下側を通って室内機１１の配管１３に接続する。
最後に、外壁に露出している配管６０等を適宜化粧モール６２で覆い、また、排気ダクト５０の出口部分に屋外フード５１を取り付ける。そして、本体ケース１２に正面カバー１８を取付けることにより、室内機１１の施工が完了する。
【００１８】
以上詳述したように、本実施の形態の浴室暖房乾燥装置では、室内機取付板４０に開口４１を設け、この開口４１を通って換気口の木枠８０内に排気通路（換気用送風機２１のダクト２５、排気ダクト５０）及び配管６０が配設される。したがって、これらの配管用の孔を浴室壁に設ける必要がないため、取付施工を容易に行うことができ、施工費用も安くできる。
さらに、室内機取付板４０は、従来と異なり浴室の換気口の木枠８０に固定されるため、浴室の壁に室内機取付板を固定するための孔があけられることがなく浴室壁面の損傷というトラブルが発生しない。また、浴室壁に室内機の型式にあった取付孔をあける必要がないため、室内機の買い替え等での室内機の交換に支障がなくなる。
【００１９】
（他の実施の形態）
次に、本発明の他の実施の形態について説明する。ここで、次に説明する実施の形態に係る浴室空調装置では、室内機取付板４０以外の構成については上述した実施の形態と同一であるので、以下の説明では室内機取付板４０の構成について主に説明する。
図６に示すように、浴室の換気口は一般的に浴室７０の中央上部に設けられる。一方、室内機１１の換気用送風機２１のダクト２５は、図２に示すように本体ケース１２の側面よりの位置となる。したがって、このダクト２５を換気口の枠８０内に突出させようとすると、室内機１１を浴室の中央からずれた位置に取付けることとなる。しかしながら、室内機１１が浴室の中央からずれると、浴室内の温度が不均一となり好ましくない。
そこで、図７に示す実施の形態においては、室内機取付板４０にガイド通路４６を設けて、換気用送風機２１のダクト２５と換気口内に配設された排気ダクト５０を連結する。すなわち、ガイド通路４６の室内機１１側の面にダクト２５が接続される開口部４７を設け、また、室内機取付板４０の換気口側の面に排気ダクト５０が接続される開口部４８が設けられる。そして、換気用送風機２１のダクト２５を上記開口部４７に接続し、換気口内の排気ダクト５０を上記開口部４８に接続すれば、換気用送風機２１のダクト２５と換気口内の排気ダクト５０とを接続することができる。
【００２０】
したがって、上述した実施においては、室内機取付板４０にガイド通路４６を設けることにより、浴室の中央よりに室内機を設置することができ、浴室内の温度分布を均一とすることができる。
また、上述した実施の形態では、室内機取付板４０の略中央が換気口の木枠８０に固定されることとなるため、換気口の木枠に均一に荷重が作用し、比較的重量のある室内機でも換気口の枠に取付けることができる。
なお、このようなガイド通路４６を利用することで、換気用送風機のダクトが室内機の下部にくる従来の浴室暖房機を施工するときでも、換気口を排気ダクトのための貫通孔として利用することができる。
【００２１】
なお、上述した各実施の形態においては、室内機取付板に予め木枠取付孔を設けたが、予め木枠取付孔を設けることなく、施工現場において換気口の木枠にあわせて木枠取付穴を設けても良い。
さらに、上述した各実施の形態においては、室内機１１内に換気用送風機２１を設けたが、換気用送風機は排気通路の途中であればどのような位置に設けてもよい。したがって、例えば換気口内の排気ダクト５０の中や外壁の外側に別に設けるようにしても良い。このような構成によれば、室内機の大きさを小さくすることができるため浴室内のスペースを損なうことがなく、また、室内機の重量を小さくすることができるので、換気口の木枠に作用する力を少なくすることができる。
また、上記各実施の形態では、壁掛け式の浴室暖房乾燥装置を例に説明したが、本発明は壁掛け式に限るものでなく、天井に換気口がある場合には天井取付型のものであってもよい。
【００２２】
以上、本発明のいくつかの実施の形態に係る浴室空調装置を詳細に説明したが、これらは例示に過ぎず、本発明は当業者の知識に基づいて種々の変更、改良を施した形態で実施することができる。
【図面の簡単な説明】
【図１】本発明の一実施の形態に係る浴室暖房乾燥装置の正面図
【図２】図1に示す浴室暖房乾燥装置の内部構造を示す正面図
【図３】図１に示す浴室暖房乾燥装置の背面図
【図４】図１に示す浴室暖房乾燥装置を浴室壁に取付ける際に使用する室内機取付板の正面図
【図５】図1に示す浴室暖房乾燥装置の浴室への施工状態を示す概略図
【図６】浴室の換気口の木枠の位置を示す図面
【図７】本発明の他の実施の形態に係る浴室暖房乾燥装置の概略構成を示す図面
【図８】従来の浴室暖房乾燥装置の浴室への施工状態を示す概略図
【符号の説明】
１１・・室内機
２１・・換気用送風機
２５・・ダクト
４０・・室内機取付板
４１・・開口
５０・・排気ダクト
【図１】
0003801826.tif 000002
【図２】
0003801826.tif 000003
【図３】
0003801826.tif 000004
【図４】
0003801826.tif 000005
【図５】
0003801826.tif 000006
【図６】
0003801826.tif 000007
【図７】
0003801826.tif 000008
【図８】
0003801826.tif 000009